【手続補正書】
【提出日】平成15年9月17日(2003.9.17)
【手続補正１】
【補正対象書類名】明細書
【補正対象項目名】特許請求の範囲
【補正方法】変更
【補正の内容】
【特許請求の範囲】
【請求項１】
ユーザーディスプレイを有するクライアントコンピュータと、編集サーバと、元のコンテンツを有する少なくとも１つのネットワークサーバとを備えたネットワークシステムにおける、クライアントの検索要求に応答してネットワークサーバから得られたデータに基づいて出力データを提供する方法が、
前記クライアントコンピュータからの検索要求を前記編集サーバへ提供し、
前記編集サーバにおいて、候補となる元のコンテンツプロバイダを識別し、
前記編集サーバにおいて、検索要求を候補となる元のコンテンツプロバイダへ転送し、
前記編集サーバによって、前記ネットワークサーバから、前記検索要求に応答して原サーバコンテンツデータ及び原サーバ表現データを受信し、
所定の規則に従って、前記原サーバ表現データを変換済み表現データへ変換し、
前記変換済み表現データを用いて原サーバコンテンツデータをクライアントコンピュータの出力周辺装置へ出力する諸ステップを含み、
前記データは統一され、まとまりのあるWebページ出力形式で出力される、方法。
【請求項２】
請求項１に記載の方法において、前記編集サーバにコンテンツデータを保存するステップを含む、方法。
【請求項３】
請求項１に記載の方法において、前記データを変換するステップは、人工知能で実現される追加の処理を有する、方法。
【請求項４】
請求項１に記載の方法において、１つ以上の規則を有するテンプレートを用いて前記データを変換する、方法。
【請求項５】
請求項４に記載の方法において、前記データを変換するテンプレートは、前記要求に関して「いつ」、「どこで」、「なぜ」、「誰が」、「何を」、「どのように」を記述する要素に基づいて前記データを配置する、方法。
【請求項６】
請求項４に記載の方法において、前記データを変換するテンプレートは、前記要求に関して「いつ」、「どこで」、「なぜ」、「誰が」、「何を」、「どのように」を記述する要素に基づいて前記データを変更する、方法。
【請求項７】
請求項６に記載の方法において、前記データを変換するテンプレートは、前記要求に関して「いつ」、「どこで」、「なぜ」、「誰が」、「何を」、「どのように」を記述する要素に基づいてデータを配置する、方法。
【請求項８】
請求項１に記載の方法において、前記候補となる元のコンテンツプロバイダを識別するステップは、取得クライアントプロファイルを用いて実現される、方法。
【請求項９】
請求項１に記載の方法において、前記候補となる元のコンテンツプロバイダを識別するステップは、クライアントが選択した変数に基づいて実現される、方法。
【請求項１０】
請求項１に記載の方法において、前記コンテンツデータは、索引フィールド、データカテゴリーフィールド、データフォーマットフィールド及びデータフィールドを含むカテゴリーにフォーマットされる、方法。
【請求項１１】
請求項１０に記載の方法において、前記データフィールドに保存されている前記データはビデオ又はグラフィックスデータである、方法。
【請求項１２】
請求項１０に記載の方法において、前記データフィールドに保存された前記データは音声又はプログラムデータである、方法。
【請求項１３】
請求項１に記載の方法において、前記受信するステップはネットワーク経由でコンテンツデータをダウンロードするステップを含み、前記変換されたデータはネットワーク経由で提供される、方法。
【請求項１４】
請求項２に記載の方法において、前記変換されたデータは、前記要求を生成したクライアントコンピュータに提供される、方法。
【請求項１５】
ユーザーディスプレイを有するクライアントコンピュータと、編集サーバと、原コンテンツを含む少なくとも１つのネットワークサーバを備えたネットワークシステムにおける、クライアントの検索要求に応答してネットワークサーバから得られたデータに基づいてデータ出力を提供する方法が、
前記クライアントコンピュータからの検索要求を前記編集サーバへ提供し、
前記編集サーバにおいて、候補となる元のコンテンツプロバイダを識別し、
前記編集サーバにおいて、検索要求を候補となる元のコンテンツプロバイダへ転送し、
前記編集サーバによって、前記ネットワークサーバから、前記検索要求に応答して原サーバコンテンツデータ及び原サーバ表現データを受信し、
規則に従い、前記原サーバコンテンツデータ及び原サーバ表現データを変換済みコンテンツデータ及び変換済み表現データへ変換し、
前記変換済み表現データを用いて変換済みコンテンツデータをクライアントコンピュータの出力周辺装置へ出力する諸ステップを含み、
前記データは統一され、まとまりのあるWebページ出力形式で出力される、方法。
【請求項１６】
請求項１５に記載の方法において、前記編集サーバにコンテンツデータを保存するステップを含む、方法。
【請求項１７】
請求項１５に記載の方法において、前記データを変換するステップは人工知能で実現される追加の処理を有する、方法。
【請求項１８】
請求項１５に記載の方法において、１つ以上の規則を有するテンプレートを用いてデータを変換する、方法。
【請求項１９】
請求項１８に記載の方法において、前記データを変換するテンプレートは、前記要求に関して「いつ」、「どこで」、「なぜ」、「誰が」、「何を」、「どのように」を記述する要素に基づいて前記データを変更する、方法。
【請求項２０】
請求項１５に記載の方法において、前記候補となる元のコンテンツプロバイダを識別するステップは、取得クライアントプロファイル又はクライアントに選択された変数に基づいて実現される、請求項１５に記載の方法。
【請求項２１】
請求項１５に記載の方法において、前記コンテンツデータは、索引フィールド、データカテゴリーフィールド、データフォーマットフィールド及びデータフィールドを含むカテゴリーにフォーマットされる、方法。
【請求項２２】
請求項２１に記載の方法において、前記データフィールドに保存されている前記データはビデオ又はグラフィックスデータである、方法。
【請求項２３】
請求項２１に記載の方法において、前記データフィールドに保存された前記データは音声又はプログラムデータである、方法。
【請求項２４】
請求項１５に記載の方法において、前記受信するステップはネットワーク経由でコンテンツデータをダウンロードするステップを含み、前記変換されたデータはネットワーク経由で提供される、方法。
【請求項２５】
請求項１６に記載の方法において、前記変換されたデータは、前記要求を生成したクライアントコンピュータに提供される、方法。
【請求項２６】
コンピュータを利用した環境において、変換された表現とともに変換された情報を提供するシステムにおいて、
求められた情報をネットワーク経由でクライアントに提供する編集サーバと、
クライアントにより確立された検索要求と、
該検索要求と潜在的に関係があるデータを含む元のサーバと、
前記編集サーバにより受信され、確立されたクライアント検索要求に応答する原サーバ表現データと、
元のコンテンツを変換するために前記編集サーバにより用いられる規則とを含み、
前記編集サーバは原サーバ表現データを変換済み表現データに変換する、システム。
【請求項２７】
請求項２６に記載のシステムにおいて、前記規則はクライアントにより選択される、システム。
【請求項２８】
請求項２６に記載のシステムにおいて、前記規則はクライアントプロファイルから導かれる、システム。
【請求項２９】
請求項２６に記載のシステムにおいて、元のコンテンツを変換するために１つ以上の規則が用いられ、該１つ以上の規則はテンプレート内に含まれている、システム。